(57)【要約】【課題】通話状態において高いアンテナ性能を有する折畳式携帯無線機を提供する。【解決手段】下部筐体11のヒンジ部12近傍に搭載されたヘリカルアンテナ素子19と、上部筐体10のヒンジ部12近傍に略半波長の電気長を有する第一の無給電素子１と、上部筐体10に第一の無給電素子1に近接した１個以上の無給電素子２を備え、折畳式携帯無線機を開いた状態において第一の無給電素子１の一端をヘリカルアンテナ素子19に近接して配置し、ヘリカルアンテナ素子19と第一の無給電素子１を電磁的に結合させ、第一の無給電素子１と１個以上の無給電素子２を容量的に結合させる。ヘリカルアンテナ素子19の軸方向と第一の無給電素子１の一部とを略平行に配置し、上部筐体10を構成する樹脂製カバーのヘリカルアンテナ素子19に近接する面に第一の無給電素子１と１個以上の無給電素子２を配置する。【選択図】  図１
2006115419.tif 000002
【特許請求の範囲】
【請求項１】
上部筐体と下部筐体とをヒンジ部で連結することにより、前記上部筐体と前記下部筐体とが開閉自在な機構を有する折畳式携帯無線機であって、
前記下部筐体の前記ヒンジ部近傍に搭載されたアンテナ素子と、
前記上部筐体の前記ヒンジ部近傍に略半波長の電気長を有する第一の無給電素子と、
前記上部筐体に前記第一の無給電素子に近接した１個以上の無給電素子を備え、
前記上部筐体と前記下部筐体とを開いた状態で、前記第一の無給電素子の一端を前記アンテナ素子に近接させて配置し、
前記アンテナ素子と前記第一の無給電素子を電磁的に結合させ、
前記第一の無給電素子と前記１個以上の無給電素子を電磁的に結合させることを特徴とする折畳式携帯無線機。
【請求項２】
前記１個以上の無給電素子を、前記第一の無給電素子に近接する前記上部筐体のカメラモジュール部に配置した第二の無給電素子とすることを特徴とする請求項１記載の折畳式携帯無線機。
【請求項３】
前記１個以上の無給電素子を、前記第一の無給電素子に近接する前記上筐体の導体板とすることを特徴とする請求項１記載の折畳式携帯無線機。
【請求項４】
前記１個以上の無給電素子を、前記第一の無給電素子に近接する前記上筐体の第二の無給電素子と、前記導体板とすることを特徴とする請求項１記載の折畳式携帯無線機。
【請求項５】
前記１個以上の無給電素子を前記第一の無給電素子に略平行に近接させることを特徴とする請求項１記載の折畳式携帯無線機。
【請求項６】
前記アンテナ素子としてへリカルアンテナ素子またはミアンダアンテナ素子を用い、前記ヘリカルアンテナ素子または前記ミアンダアンテナ素子の軸方向と前記第一の無給電素子の一部とを、略平行に配置することにより電磁的に結合させることを特徴とする請求項１から５の何れかに記載の折畳式携帯無線機。
【請求項７】
前記上部筐体を構成する樹脂製カバーの前記アンテナ素子に近接する面に、前記第一の無給電素子を配置することを特徴とする請求項１から６の何れかに記載の折畳式携帯無線機。
【発明の詳細な説明】
【技術分野】
【０００１】
本発明は、受話部を備えた上部筐体と、送話部を備えた下部筐体とをヒンジ部で連結することにより、上部筐体と下部筐体とが開閉自在な機構を有する折畳式携帯無線機に関するものである。
【背景技術】
【０００２】
従来の折畳式携帯無線機の開いた状態を図６に示す。図６（ａ）は背面図、図６（ｂ）は側面図である。
図６（ａ），（ｂ）に示すように、従来の折畳式携帯無線機は、導体板４、受話部13、主表示部14、副表示装置15等を備えた上部筐体10と、送話部16、回路基板17、無線部18、略４分の１波長の電気長を有するヘリカルアンテナ素子19や給電部20を備えた下部筐体11とを、ヒンジ部12で連結して開閉自在に構成されている。
【０００３】
この折畳式携帯無線機１は、待ち受け時は閉じた状態、通話時は開いた状態で使用される。受話部13および主表示部14は上部筐体10の表面に、副表示装置15は上部筐体10の背面に、送話部16は下部筐体11の表面に、ヘリカルアンテナ素子19およびその給電部20はヒンジ部12近傍に配置されている。
【０００４】
開いた状態において、ヘリカルアンテナ素子19は、上部筐体10内の金属製材料や、上部筐体10内の電子部品と下部筐体11内の電子部品を接続するフレキシブルプリント基板等と電磁結合し、これらに人体側頭部や手が近接することによってアンテナ性能が劣化する。
【０００５】
図７は通話状態を示す図であり、使用者が折畳式携帯無線機を右手に持ち、右耳にあてている状態である。この場合、一般には、折畳式携帯無線機の長手方向すなわちＺ方向と地面との角度αは30°程度である。
【０００６】
陸上移動通信の多重波環境における−般的な交差偏波電力比は４dB〜９dBであり、到来波の垂直偏波の電力が水平偏波の電力より４dB〜９dB高いことが知られている。
これは、上述した通話状態における折畳式携帯無線機のアンテナの主偏波が地面に対して垂直である方が、高い通信品質を確保できることを示している。
【０００７】
従来の折畳式携帯無線機のアンテナとしては、例えば特許文献１に開示されているように、角度変更機構を備えて折畳式携帯無線機の開閉動作に連動してアンテナ素子の角度変更機構を動作させる横成が知られている。
【０００８】
また、特許文献２に開示されているように、着信時に着信ボタンの押下を検出してアンテナ素子の角度を本体に対して傾斜させる構成が知られている。
【０００９】
また、特許文献３に開示されているように、筐体内に収容された棒状アンテナ素子を引き出して棒状アンテナの先端を人体から遠ざける構成が知られている。
【００１０】
また、特許文献４に開示されているように、筐体背面に収容された略半波長の電気長の無給電素子を有する板状アンテナ部を引き出す構成が知られている。
【特許文献１】特開2003−87375号公報
【特許文献２】特開2001−308995号公報
【特許文献３】特開2001−57585号公報
【特許文献４】特開2001−326513号公報
【発明の開示】
【発明が解決しようとする課題】
【００１１】
しかしながら、従来の折畳式携帯無線機において、特許文献１および特許文献２に示されている従来のアンテナでは、通話状態において高いアンテナ性能を確保するためには、アンテナ素子の角度調整機構が新たに必要になるという問題があった。
【００１２】
また、上記の特許文献３および特許文献４に示されている従来のアンテナでは、通話状態において高いアンテナ性能を確保するためには、使用者自身による棒状アンテナや板状アンテナ部の引き出しが必要になるという問題があった。
【００１３】
本発明は、上述した従来の問題を解決するためになされたもので、通話する際に折畳式携帯無線機を開くだけで、通話状態において通話利得が劣化することなく、局所的な人体に吸収される電磁波の比吸収率であるSAR（Specific Absorption Rate）特性を、広帯域に低減させることができ、高いアンテナ性能を有するアンテナを備えた折畳式携帯無線機を提供することを目的とする。
【課題を解決するための手段】
【００１４】
（１）本発明の折畳式携帯無線機は、上部筐体と下部筐体とをヒンジ部で連結することにより、前記上部筐体と前記下部筐体とが開閉自在な機構を有する折畳式携帯無線機であって、前記下部筐体の前記ヒンジ部近傍に搭載されたアンテナ素子と、前記上部筐体の前記ヒンジ部近傍に略半波長の電気長を有する第一の無給電素子と、前記上部筐体に前記第一の無給電素子に近接した１個以上の無給電素子を備え、前記上部筐体と前記下部筐体とを開いた状態で、前記第一の無給電素子の一端を前記アンテナ素子に近接させて配置し、前記アンテナ素子と前記第一の無給電素子を電磁的に結合させ、前記第一の無給電素子と前記１個以上の無給電素子を電磁的に結合させることを特徴とする。
【００１５】
この構成により、通話のために折畳式携帯無線機を開くだけで、第一の無給電素子がアンテナ素子と電磁結合して、第一の無給電素子と１個以上の無給電素子が容量的に結合するので、人体側頭部や手から離れた第一の無給電素子と１個以上の無給電素子に電流が分散する。
従って、通話状態において通話利得が劣化することなく広帯域な低SAR特性を実現でき高いアンテナ性能を確保することができる。
【００１６】
（２）前記１個以上の無給電素子を、前記第一の無給電素子に近接する前記上部筐体のカメラモジュール部に配置した第二の無給電素子とすることができる。
【００１７】
この構成により、通話のために折畳式携帯無線機を開くだけで、第一の無給電素子がアンテナ素子と電磁結合して、第一の無給電素子と第二の無給電素子が容量的に結合するので、人体側頭部や手から離れた第一の無給電素子と第二の無給電素子に電流が分散する。
従って、通話状態において通話利得が劣化することなく広帯域な低SAR特性を実現でき高いアンテナ性能を確保することができる。
【００１８】
（３）前記１個以上の無給電素子を、前記第一の無給電素子に近接する前記上部筐体の導体板とすることができる。
【００１９】
この横成により、通話のために折畳式携帯無線機を開くだけで、第−の無給電素子がアンテナ素子と電磁結合して、第一の無給電素子と導体板が容量的に結合するので、人体側頭部や手から離れた第一の無給電素子と導体板に電流が分散する。
従って、通話状態において通話利得が劣化することなく広帯域な低SAR特性を実現でき高いアンテナ性能を確保することができる。
【００２０】
（４）前記１個以上の無給電素子を、前記第一の無給電素子に近接する前記上部筐体の第二の無給電素子と、前記導体板とすることができる。
【００２１】
この構成により、通話のために折畳式携帯無線機を開くだけで、第一の無給電素子がアンテナ素子と電磁結合して、第一の無給電素子が第二の無給電素子と容量結合し、更に第一の無給電素子が導体板と容量的に結合するので、人体側頭部や手から離れた第一の無給電素子と第二の無給電素子と導体板に電流が分散する。
従って、通話状態において通話利得が劣化することなく広帯域な低SAR性を実現でき高いアンテナ性能を確保することができる。
【００２２】
（５）前記１個以上の無給電素子を前記第一の無給電素子に略平行に近接させることができる。
【００２３】
この構成により、第一の無給電素子と１個以上の無給電素子との電磁結合が強くなる。
従って、通話状態において通話利得が劣化することなく広帯域な低SAR特性を実現でき高いアンテナ性能を確保することができる。
【００２４】
（６）前記アンテナ素子としてへリカルアンテナ素子またはミアンダアンテナ素子を用い、前記ヘリカルアンテナ素子または前記ミアンダアンテナ素子の軸方向と前記第−の無給電素子の一部とを、略平行に配置することにより電磁的に結合させることができる。
【００２５】
この構成により、第一の無給電素子とアンテナ素子との電磁結合が強くなる。
従って、通話状態において通話利得が劣化することなく広帯域な低SAR特性を実現でき高いアンテナ性能を確保することができる。
【００２６】
（７）前記上部筐体を構成する樹脂製カバーの前記アンテナ素子に近接する面に、前記第一の無給電素子を配置することができる。
【００２７】
この構成により、第一の無給電素子とアンテナ素子との電磁結合が強くなるため、通話状態において通話利得が劣化することなく広帯域な低SAR特性を実現でき、これにより高いアンテナ性能を確保することができる。
【発明の効果】
【００２８】
本発明は、通話のために折畳式携帯無線機を開くだけで、第一の無給電素子がアンテナ素子と電磁結合して、第一の無給電素子と１個以上の無給電素子が容量的に結合するので、人体側頭部や手から離れた第一の無給電素子と１個以上の無給電素子に電流が分散する。
従って、通話状態において通話利得が劣化することなく広帯域な低SAR特性を実現でき、高いアンテナ性能を確保することができる。
【発明を実施するための最良の形態】
【００２９】
以下、本発明の実施形態の折畳式携帯無線機について、図面を用いて詳細に説明する。なお、アンテナの動作周波数は２GHzとして説明する。
【００３０】
（第１実施形態）
本発明の第１実施形態の折畳式携帯無線機の開いた状態を図１に示す。図１（ａ）は背面図、図１（ｂ）は側面図である。
【００３１】
図１において、前述した図６に示す従来の折畳式携帯無線機１と同一の構成要素については、同一の符号を付して説明を省略する。
【００３２】
図１（ａ），（ｂ）において、符号１は上部筐体10においてヒンジ部近傍に備えた第一の無給電素子である。第一の無給電素子１は、全長が略半波長（自由空間において75mm）、幅が例えば３mmの線状導体素子であり、導電性の薄膜や線材等で構成され、上部筐体10の副表示装置15側の樹脂製ケースの内面または外面に貼付される。
【００３３】
すなわち、第一の無給電素子１は上部筐体10におけるヘリカルアンテナ素子19に近接する面上に構成される。
この場合、ケースの誘電率や近接物によって物理的な長さは75mmよりも短くなる。２は上部筐体10において第一の無給電素子に近接した１個以上の無給電素子であり、全長は略半波長でなくても良い。また、１個以上の無給電素子2はお互いに近接していなくても良い。
【００３４】
また、第一の無給電素子１、および１個以上の無給電素子２は、上部筐体10の導体板４、受話部13、主表示部14、副表示装置15等と電気的に絶縁されている。
すなわち、第一の無給電素子１、および１個以上の無給電素子２は、上部筐体10の内部に存在する導電性材料からは電気的に絶縁されている。
【００３５】
また、折畳式携帯無線機を開いた状態において、第一の無給電素子１の一端を給電部20に近接させて、ヘリカルアンテナ素子19の軸方向すなわちＺ方向にほぼ平行に配置する。ヘリカルアンテナ素子19は導線をら旋状に巻いたものであり、このら旋の軸方向と第一の無給電素子１とを平行に配置する。
【００３６】
ここで、ヘリカルアンテナ素子19と第一の無給電素子１との間隔は、例えば５mm程度に設定される。これによりへリカルアンテナ素子19と第一の無給電素子１とは電磁結合し、更に１個以上の無給電素子２は第一の無給電素子と略平行に配置し、近接した第一の無給電素子１は１個以上の無給電素子２とも電磁結合を実現する。
【００３７】
上記のように、この折畳式携帯無線機は、上部筐体10と下部筐体11とをヒンジ部12で連結して開閉自在な機構を有する折畳式携帯無線機であって、下部筐体11のヒンジ部12の近傍に搭載されたヘリカルアンテナ素子19と、上部筐体10のヒンジ部12近傍に略半波長の電気長を有する第一の無給電素子１と、上部筐体10に第一の無給電素子１に近接した１個以上の無給電素子２とを備えている。
【００３８】
そして、折畳式携帯無線機を開いた状態において第一の無給電素子１の一端をヘリカルアンテナ素子19に近接して配置し、アンテナ素子としてヘリカルアンテナ素子19またはミアンダアンテナ素子を用い、へリカルアンテナ素子19またはミアンダアンテナ素子の軸方向と第一の無給電素子１の一部とを略平行に配置し、第一の無給電素子１と１個以上の無給電素子２とを略平行に配置し、上部筐体10を構成する樹脂製カバーのヘリカルアンテナ素子19に近接する面に、第一の無給電素子１と１個以上の無給電素子２とを配置する。
【００３９】
以上のように構成された折畳式携帯無線機について、図１、図５を用いてその動作を説明する。
まず、ヘリカルアンテナ素子19が給電部20から励振されると、へリカルアンテナ素子19と第一の無給電素子１とが電磁結合し、更に第一の無給電素子１に近接した１個以上の無給電素子２に容量結合する。
【００４０】
これにより、人体側頭部や手から離れた第−の無給電素子１と１個以上の無給電素子２とにアンテナ電流が励起され、ヘリカルアンテナ素子19と、上部筐体10内の導電板としての金属製表示部ホルダー４や、上部筐体10内の電子部品と下部筐体11内の電子部品を接続するフレキシブルプリント基板等との電磁結合を抑制する。
このため、電流が人体から遠い第一の無給電素子１と１個以上の無給電素子２との側に分散し、局所的な人体に吸収される電磁波の比吸収率であるSARが低く抑えられる。
また、図８に示すように、第一の無給電素子１のみの時と比較して、１個以上の無給電素子２が第一の無給電素子１に近接して配置されると、第一の無給電素子１と１個以上の無給電素子２とが容量的に結合しているため、広帯域な低SAR特性を実現できる。
【００４１】
このとき、第一の無給電素子１とヘリカルアンテナ素子19との距離が近いほど第一の無給電素子１とへリカルアンテナ素子19との電磁結合は大きい。
また、ヘリカルアンテナ素子19に流れる電流の方向は遠方界放射特性を考慮すると、へリカルアンテナ素子19の軸方向すなわちＺ方向であることから、第一の無給電素子１がＺ方向に平行となるほど電磁結合は大きく、第一の無給電素子１と１個以上の無給電素子２とが略平行となるほど電磁結合は大きくい。
なお、折畳式携帯無線機を閉じた状態においては、第一の無給電素子１はへリカルアンテナ素子19から離隔し放射に寄与しない。
【００４２】
なお、図５は第一の無給電素子１と、１個以上の無給電素子２の形状の変更例を示す図であり、上記実施の形態で述べた直線の帯状に限るものではなく、図５（ａ）に示す曲線状、図５（ｂ）に示すクランク状、図５（ｃ）に示す長方形状、図５（ｄ）に示すミアンダ形状であってもよい。
【００４３】
また、アンテナ素子としてはヘリカルアンテナ素子19に限るものではなく、例えば伸縮式の棒状アンテナ素子等であってもよい。
【００４４】
（第２実施形態）
次に、本発明の第２実施形態の折畳式携帯無線機について説明する。図２は、第２実施形態の折畳式携帯無線機の開いた状態を示す。図２（ａ）は背面図、図２（ｂ）は側面図である。
【００４５】
図２において、第１実施形態における折畳式携帯無線機と同一の構成要素については同一の符号を付して説明を省略する。
【００４６】
図２において、21は上部筐体10に配置されたカメラモジュールであり、カメラモジュール21のヘリカルアンテナ素子19側に、第二の無給電素子３を配置する。第二の無給電素子３は例えば20mm×10mm程度の導体素子であり、第一の無給電素子１とヘリカルアンテナ素子19近傍とで近接するように配置し、上部筐体10の副表示装置15側の樹脂製ケースの内面または外面に貼付する。第二の無給電素子３は、カメラモジュール21のレンズの部分をくり抜いた形状でも良い。
【００４７】
以上のように構成された折畳式携帯無線機において、第一の無給電素子１がヘリカルアンテナ素子19と電磁結合し、第一の無給電素子１と第二の無給電素子３とが容量的に結合することにより、人体側頭部や手から離れた第一の無給電素子１と第二の無給電素子３とに電流が分通話状態において高いアンテナ性能を確保することができる。
【００４８】
以上のように、本発明の第2の実施の形態の折畳式携帯無線機は、下部筐体11のヒンジ部12近傍に搭載されたアンテナ素子19と、上部筐体10のヒンジ部12近傍に略半波長の電気長を有する第一の無給電素子１と、第一の無給電素子１に近接したカメラモジュール21近傍の第二の無給電素子３とを備えている。
【００４９】
また、折畳式携帯無線機を開いた状態において第一の無給電素子１の一端をヘリカルアンテナ素子19に近接して配置し、ヘリカルアンテナ素子19と第一の無給電素子１とを電磁的に結合し、第一の無給電素子１と第二の無給電素子３とを容量的に結合する。
【００５０】
これにより、人体側頭部や手から離れた第一の無給電素子１と第二の無給電素子３とに電流が分散するため、通話利得が劣化することなく局所的な人体に吸収される電磁波の比吸収率（SAR）が低く抑えられる。
これにより、広帯域な低SAR特性を実現でき、通話状態において高いアンテナ性能を確保することができる。
【００５１】
（第３実施形態）
次に、本発明の第３実施形態の折畳式携帯無線機の開いた状態を図３に示す。図３において、第１および第２実施形態における折畳式携帯無線機と同一の構成要素については同一の符号を付して説明を省略する。
【００５２】
図３において、符号４は導体板で例えば主表示部14と副表示装置15とを保持するための金属製ホルダーで、例えば50mm×40mm程度の金属板であり、高い導電率を有し、かつ軽量で強度が高い金属、例えばマグネシウム合金等であり、第一の無給電素子１に近接させて配置する。或いは導体板４は、上部筐体10の回路基板等で構成され、第一の無給電素子１と近接させて配置する。
【００５３】
すなわち、本発明は、上部筐体10と下部筐体11とをヒンジ部12で連結して開閉自在な機構を有する折畳式携帯無線機であって、下部筐体11のヒンジ部12近傍に搭載されたヘリカルアンテナ素子19と、上部筐体10のヒンジ部12近傍に略半波長の電気長を有する第一の無給電素子１と、上部筐体10の導体板４とを備えている。
【００５４】
また、折畳式携帯無線機を開いた状態において第一の無給電素子１の一端をヘリカルアンテナ素子19に近接して配置すると共に、導体板４の一端を第一の無給電素子１に近接して配置し、ヘリカルアンテナ素子19と第一の無給電素子１とを電磁的に結合し、第一の無給電素子１と導体板４とを容量的に結合する。
【００５５】
これにより、人体側頭部や手から離れた第一の無給電素子１と導体板４とに電流が分散するため、通話利得が劣化することなく局所的な人体に吸収される電磁波の比吸収率（SAR）が低く抑えられ、広帯域な低SAR特性を実現でき、通話状態において高いアンテナ性髄を確保することができる。
【００５６】
また、第一の無給電素子１と導体板４とが容量的に結合しているため、広帯域な低SAR特性を実現でき、通話状態において高いアンテナ性能を確保することができる。
【００５７】
（第４実施形態）
次に、本発明の第４実施形態の折畳式携帯無線機について説明する。図４は折畳式携帯無線機の開いた状態を示す。
【００５８】
図４において、第１実施形態〜第３実施形態における折畳式携帯無線機と同一の構成要素については、同一の符号を付して説明を省略する。
【００５９】
図４において、符号３はカメラモジュール21のヘリカルアンテナ素子19側に配置した、第二の無給電素子であり、４は導体板で例えば主表示部14と副表示装置15とを保持するための金属製ホルダーであり、第二の無給電素子３と第一の無給電素子１とに近接させて配置する。
【００６０】
すなわち、本発明は、上部筐体10と下部筐体11とをヒンジ部12で連結して開閉自在な機構を有する折畳式携帯無線機であって、下部筐体11のヒンジ部12近傍に搭載されたヘリカルアンテナ素子19と、上部筐体10のヒンジ部12近傍に略半波長の電気長を有する第一の無給電素子３と、第一の無給電素子３に近接したカメラモジュール21近傍の第二の無給電素子３と、上部筐体10の導体板４とを備えている。
【００６１】
また、折畳携帯無線機を開いた状態で、第一の無給電素子１の一端をヘリカルアンテナ素子19に近接して配置すると共に、導体板４の一端を第一の無給電素子１に近接して配置し、ヘリカルアンテナ素子19と第一の無給電素子３とを電磁的に結合し、第一の無給電素子１と第二の無給電素子３と導体板４とを容量的に結合させる。
【００６２】
以上のように構成された折畳式携帯無線機においては、ヘリカルアンテナ素子19と第一の無給電素子１が電磁結合し、第一の無給電素子１と第二の無給電素子３と導体板４とが容量的に結合することにより、人体側頭部や手から離れた第−の無給電素子１と第二の無給電素子３と導体板４に電流が分散する。
従って、通話利得が劣化することなく局所的な人体に吸収される電磁波の比吸収率（SAR）が低く抑えられる。
また、広帯域な低SAR特性を実現でき、通話状態において高いアンテナ性能を確保することができる。
【産業上の利用可能性】
【００６３】
以上のように、本発明に係る折畳式携帯無線機は、通話のために折畳式携帯無線機を開くだけで、第一の無給電素子とアンテナ素子とが電磁結合し、第一の無給電素子と１個以上の無給電素子とが容量結合して、人体側頭部や手から離れた第一の無給電素子と１個以上の無給電素子とに電流が分散する。
従って、通話利得が劣化することなく、広帯域な低SAR特性を実現し、通話状態において高いアンテナ性能を確保できるという効果を有し、受話部を備えた上部筐体と送話部とを備えた下部筐体とをヒンジ部で連結して開閉自在な機構を有する折畳式携帯無線機等として有用である。
【図面の簡単な説明】
【００６４】
【図１】図１（ａ）は本発明の第１実施形態における折畳式携帯無線機の背面図、図１（ｂ）は本発明の第１実施形態における折畳式携帯無線機の側面図である。
【図２】図２（ａ）は本発明の第２実施形態における折畳式携帯無線機の背面図、図２（ｂ）は本発明の第２実施形態における折畳式携帯無線機の側面図である。
【図３】図３（ａ）は本発明の第３実施形態における折畳式携帯無線機の背面図、図３（ｂ）は本発明の第３実施形態における折畳式携帯無線機の側面図である。
【図４】図４（ａ）は本発明の第４実施形態における折畳式携帯無線機の背面図、図４（ｂ）は本発明の第４実施形態における折畳式携帯無線機の側面図である。
【図５】図５（ａ）は本発明の第１実施形態における折畳式携帯無線機の無給電素子の変形例を示す図、図５（ｂ）は本発明の第１実施形態における折畳式携帯無線機の無給電素子の別の変形例を示す図、図５（ｃ）は本発明の第１実施形態における折畳式携帯無線機の無給電素子の別の変形例を示す図、図５（ｄ）は本発明の第１実施形態における折畳式携帯無線機の無給電素子の別の変形例を示す図である。
【図６】図６（ａ）は従来の折畳式携帯無線機の背面図、図６（ｂ）は従来の折畳式携帯無線機の側面図である。
【図７】本発明の実施形態および従来の折畳式携帯無線機の通話状態を示す図である。
【図８】本発明の実施形態の特性を示す図である。
【符号の説明】
【００６５】
１  第一の無給電素子
２  第二の無給電素子
３  第二の無給電素子
４  導体板（金属製表示部ホルダー）
10  上部筐体
11  下部筐体
12  ヒンジ部
13  受話部
14  主表示部
15  副表示装置
16  送話部
17  回路基板
18  無線部
19  ヘリカルアンテナ素子
20  給電部
21  カメラモジュール
【図１】
2006115419.tif 000003
【図２】
2006115419.tif 000004
【図３】
2006115419.tif 000005
【図４】
2006115419.tif 000006
【図５】
2006115419.tif 000007
【図６】
2006115419.tif 000008
【図７】
2006115419.tif 000009
【図８】
2006115419.tif 000010